(57)【要約】【課題】正解画像群の中の一部のページに異常があった場合にその後の作業量を少なく抑えて全ページ正常な正解画像群を作成可能な画像形成装置を提供する。【解決手段】画像形成装置３は、印刷した記録紙をインラインスキャナユニット３０で光学的に読み取って得た画像と保存部２２に保存されている正解画像とを比較して出力物の正常／異常を検査する機能、印刷した記録紙をインラインスキャナユニット３０で光学的に読み取って得た各ページの画像を印刷ジョブに係る正解画像群として保存部２２に保存する正解画像群作成機能、正解画像群に含まれる一部のページの正解画像を差し替える差し替え機能を有し、制御部２１正解画像群作成機能の実行終了（途中停止もしくは完了）後に、ユーザを差し替え機能へ誘導する操作画面の表示等を行う。【選択図】図１
2019193978.tif 000002
【特許請求の範囲】
【請求項１】
記録材に画像を形成する画像形成部と、
前記画像形成部から出力された記録材を光学的に読み取る読取部と、
正解画像が保存される保存部と、
前記読取部で前記記録材を光学的に読み取って得た画像と前記保存部に保存されている前記正解画像を比較して、出力物の正常／異常を検査する検査部と、
印刷ジョブに係る各ページを前記画像形成部で記録材に画像形成し、前記画像形成部から出力された記録材を前記読取部で光学的に読み取り、前記読み取りで得た各ページの画像を前記印刷ジョブに係る正解画像群として前記保存部に保存する正解画像群作成機能、および、前記正解画像群に含まれる一部のページの正解画像を差し替える差し替え機能の実行を制御する制御部と、
を有し、
前記制御部は、前記正解画像群作成機能の実行後に、ユーザを前記差し替え機能へ誘導する
ことを特徴とする画像形成装置。
【請求項２】
前記制御部は、前記差し替え機能を選択可能な操作画面を表示することにより前記誘導を行う
ことを特徴とする請求項１に記載の画像形成装置。
【請求項３】
前記制御部は、前記正解画像群作成機能の実行が途中停止した場合は、その再開継続を選択可能に前記誘導を行う
ことを特徴とする請求項１または２に記載の画像形成装置。
【請求項４】
前記制御部は、前記正解画像群作成機能の実行が完了した場合は、前記印刷ジョブに係る本印刷の実行を選択可能に前記誘導を行う
ことを特徴とする請求項１乃至３のいずれか１つに記載の画像形成装置。
【請求項５】
前記制御部は、一の印刷ジョブに係る正解画像群に対する前記差し替え機能によるページの差し替えが所定の複数回繰り返された場合は、画像形成条件の確認もしくは変更にユーザを誘導する
ことを特徴とする請求項１乃至４のいずれか１つに記載の画像形成装置。
【発明の詳細な説明】
【技術分野】
【０００１】
本発明は、画像形成された記録材を光学的に読み取って得た画像を正解画像と比較して出力物の異常を検出する機能を備えた画像形成装置に関する。
【背景技術】
【０００２】
大量の印刷は、通常、何度か試し印刷を行って各種の調整を行い、印刷内容に問題のないことが見本の印刷で確認できたら本印刷を開始する。しかし、本印刷された出力物に何らかの要因で汚れや見本に対して色ズレや歪み等が生じることがあるため、近年は、印刷された各記録紙を搬送路上のスキャナで光学的に読み取り、その読み取り画像と予め準備した正解画像を比較して出力物の異常を検出する、といったことが行われる。
【０００３】
正解画像は、ユーザが見本（サンプル）の印刷やプルーフ出力等のプルーフ印刷する際に、印刷される各記録紙を搬送路上のスキャナで光学的に読み取って取得し、記憶部に保存される。正解画像は、印刷ジョブ単位に作成され、印刷ジョブが複数ページで１部を成す場合は、１部を成す複数ページ分の正解画像をまとめた正解画像群として（たとえば１つのファイルに集約されて）保存される。
【０００４】
下記特許文献１には、印刷ジョブとその印刷ジョブの正解画像とを関連付けて保存しておき、該印刷ジョブの再版印刷を行う際は、該印刷ジョブに関連付けされている正解画像を利用する方法が開示されている。
【先行技術文献】
【特許文献】
【０００５】
【特許文献１】特開２０１４−１４６８５９号公報
【発明の概要】
【発明が解決しようとする課題】
【０００６】
ユーザは、正解画像群を作成するプルーフ印刷中、出力物に異常がないかを目視で確認しており、異常を見つけた場合や確認が間に合わない場合は、ストップ釦を押下してプルーフ印刷を途中停止させる。このような場合、従来の画像形成装置では、その後の対応として、プルーフ印刷をそのまま中止するか、再開して継続するか、のいずれかしか選択できなかった。また、全ページのプルーフ印刷が完了した後に一部のページの出力物に異常を見つけた場合でも、全ページを出力し直して正解画像群を最初から作り直すしか方法がなかった。
【０００７】
このように、従来は、正解画像群の中の一部のページのみに異常がある場合でも、全ページの正解画像を作り直さなければならず、正解画像群を作成する際の作業効率が良くなかった。
【０００８】
本発明は、上記の問題を解決しようとするものであり、正解画像群の中の一部のページに異常があった場合にその後の作業量を少なく抑えて全ページ正常な正解画像群を生成可能な画像形成装置を提供することを目的としている。
【課題を解決するための手段】
【０００９】
かかる目的を達成するための本発明の要旨とするところは、次の各項の発明に存する。
【００１０】
［１］記録材に画像を形成する画像形成部と、
前記画像形成部から出力された記録材を光学的に読み取る読取部と、
正解画像が保存される保存部と、
前記読取部で前記記録材を光学的に読み取って得た画像と前記保存部に保存されている前記正解画像を比較して、出力物の正常／異常を検査する検査部と、
印刷ジョブに係る各ページを前記画像形成部で記録材に画像形成し、前記画像形成部から出力された記録材を前記読取部で光学的に読み取り、前記読み取りで得た各ページの画像を前記印刷ジョブに係る正解画像群として前記保存部に保存する正解画像群作成機能、および、前記正解画像群に含まれる一部のページの正解画像を差し替える差し替え機能の実行を制御する制御部と、
を有し、
前記制御部は、前記正解画像群作成機能の実行後に、ユーザを前記差し替え機能へ誘導する
ことを特徴とする画像形成装置。
【００１１】
上記発明では、正解画像群を作成する機能の実行（途中停止もしくは完了）後に、ユーザを、正解画像群の一部のページの正解画像を差し替える差し替え機能へ誘導する。
【００１２】
［２］前記制御部は、前記差し替え機能を選択可能な操作画面を表示することにより前記誘導を行う
ことを特徴とする［１］に記載の画像形成装置。
【００１３】
上記発明では、正解画像群作成機能の実行後に、たとえば、差し替え機能へ移行するための選択釦を含む操作画面を表示する。
【００１４】
［３］前記制御部は、前記正解画像群作成機能の実行が途中停止した場合は、その再開継続を選択可能に前記誘導を行う
ことを特徴とする［１］または［２］に記載の画像形成装置。
【００１５】
上記発明では、正解画像群作成機能の実行が途中停止した後、たとえば、差し替え機能へ移行するための選択釦と途中停止した処理の実行を再開継続するための選択釦を含む操作画面を表示する。
【００１６】
［４］前記制御部は、前記正解画像群作成機能の実行が完了した場合は、前記印刷ジョブに係る本印刷の実行を選択可能に前記誘導を行う
ことを特徴とする［１］乃至［３］のいずれか１つに記載の画像形成装置。
【００１７】
上記発明では、正解画像群作成機能の実行が最終ページまで完了した場合は、その完了後に、たとえば、差し替え機能へ移行するための選択釦と、本印刷の開始を指示する選択釦を含む操作画面を表示する。
【００１８】
［５］前記制御部は、一の印刷ジョブに係る正解画像群に対する前記差し替え機能によるページの差し替えが所定の複数回繰り返された場合は、画像形成条件の確認もしくは変更にユーザを誘導する
ことを特徴とする［１］乃至［４］のいずれか１つに記載の画像形成装置。
【００１９】
上記発明では、何度も差し替えが繰り返される場合は、画像形成条件の不適正なことが想定されるので、画像形成条件の確認や変更にユーザを誘導する。
【発明の効果】
【００２０】
本発明に係る画像形成装置によれば、正解画像群の中の一部のページに異常があった場合にその後の作業量を少なく抑えて全ページ正常な正解画像群を作成することができる。
【図面の簡単な説明】
【００２１】
【図１】本発明の実施の形態に係る画像形成装置の概略構成を示す図である。
【図２】インラインスキャナユニットの内部構成の一例を示す図である。
【図３】確認プリントで作成した正解画像群の中の一部（３ページ面）の正解画像を差し替えプリントで差し替えた例を示す図である。
【図４】確認プリントが途中で停止した場合に操作パネルに表示される第１誘導画面の一例を示す図である。
【図５】差し替えページ指定画面の一例を示す図である。
【図６】最終ページまで確認プリントが完了した場合に操作パネルに表示される第２誘導画面の一例を示す図である。
【図７】画像形成装置が行う、確認プリント開始後の処理を示す流れ図である。
【発明を実施するための形態】
【００２２】
以下、図面に基づき本発明の実施の形態を説明する。
【００２３】
図１は、本発明の実施の形態に係る画像形成装置３の概略構成を示す図である。画像形成装置３は、複数の給紙ユニット５と、画像形成装置本体１０と、画像形成装置本体１０の後段に接続されたインラインスキャナユニット３０と、インラインスキャナユニット３０の後段に接続されたスタッカユニット７を備えて構成される。
【００２４】
給紙ユニット５は記録紙、フィルム、布などの記録材（以下、記録紙とする）を収納する給紙トレイを複数備えており、各給紙トレイに収納されている記録紙を繰り出して画像形成装置本体１０に向けて搬送する。
【００２５】
画像形成装置本体１０は、給紙ユニット５から搬送されてきた記録紙に画像を形成して後段のインラインスキャナユニット３０へ送り出す。
【００２６】
インラインスキャナユニット３０は、搬送されて来た記録紙を後段のスタッカユニット７に向けて搬送する共に搬送中の記録紙を光学的に読み取って画像を取得する。
【００２７】
図２は、インラインスキャナユニット３０の内部構成の一例を示している。インラインスキャナユニット３０は、記録紙の両面を１パスで読み取るため、記録紙の表面を読み取る上面側ラインイメージセンサ３１と記録紙の裏面を読み取る下面側ラインイメージセンサ３２を備えている。
【００２８】
図１に戻って説明を続ける。スタッカユニット７はインラインスキャナユニット３０から搬送されて来た記録紙を多数枚積み重ねて保持する機能を果たす。なお、インラインスキャナユニット３０とスタッカユニット７の間に、折り、綴じ、穴あけなどの後処理を行う後処理ユニットを接続してもよい。
【００２９】
画像形成装置本体１０は、給紙ユニット５から到来する記録紙を搬送する搬送部１２と、搬送部１２が搬送する記録紙に画像を形成する画像形成部１１を備えている。搬送部１２は、搬送経路を構成する多数の搬送ローラ、搬送ガイド、搬送ローラの駆動するモータなどで構成される。画像形成部１１は、無端で環状に掛け渡された中間転写ベルト１１ａ、この中間転写ベルト１１ａに沿って配置されたC,M,Y,K各色の像形成ユニット１１ｂ、定着装置１１ｃなどを備えて構成される。
【００３０】
画像形成装置本体１０は、像形成ユニット１１ｂによって中間転写ベルト１１ａ上にC,M,Y,K各色のトナー像を重畳してフルカラーのトナー像を形成する。中間転写ベルト１１ａ上に形成されたトナー像は、給紙ユニット５から搬送されてきた記録紙に２次転写位置Ｄで転写される。トナー像が転写された記録紙は、下流の定着装置１１ｃを通る際に加圧加熱されて該記録紙に定着される。定着装置１１ｃを出た記録紙は、搬送部１２によって後段のインラインスキャナユニット３０に向けて搬送される。なお、画像形成装置本体１０の画像形成部１１は上記のようなタンデム式の電子写真方式に限定されない。
【００３１】
画像形成装置本体１０さらには、オペレータから各種の操作を受け付ける機能、および、設定画面・操作画面、装置状態、警告等を表示する機能を果たす操作パネル１３を有する。操作パネル１３は、液晶ディスプレイ、タッチパネル、ハード釦等を備えている。
【００３２】
画像形成装置３は、当該画像形成装置３の動作を統括制御する制御基板２０を有する。制御基板２０は、ＣＰＵ（Central Processing Unit）、メモリ、通信Ｉ／Ｆなどを有して構成され、プログラムを実行することで、制御部２１、保存部２２、検査部２３等の機能を果たす。
【００３３】
画像形成装置３の制御部２１は、本印刷、正解画像群作成機能、差し替え機能に係る動作を制御する。本印刷では、印刷ジョブに係る各ページを画像形成装置本体１０で記録紙に画像形成してスタッカユニット７へ排出すると共に、画像形成装置本体１０とスタッカユニット７との間にあるインラインスキャナユニット３０で、搬送中の各記録紙を光学的に読み取り、該読み取りで得た画像と保存部２２に予め記憶してある正解画像とを検査部２３が比較して出力物の正常異常を検査する。
【００３４】
正解画像群作成機能は、指定された印刷ジョブに係る各ページを画像形成装置本体１０で記録紙に画像形成してスタッカユニット７へ排出すると共に、途中のインラインスキャナユニット３０で各記録紙を光学的に読み取り、該読み取りで得た画像を正解画像として保存部２２に保存する機能である。印刷ジョブが複数ページで１部を成す場合は、１部を成す複数ページ分の正解画像をまとめた正解画像群として（たとえば１つのファイルに集約して）保存部２２に保存する。
【００３５】
差し替え機能は、正解画像群に含まれる一部のページの正解画像を差し替える機能である。具体的には、印刷ジョブのうち指定されたページについてのみ、新たに正解画像を取得し、これと正解画像群の中の対応する正解画像とを差し替える。すなわち、指定されたページを画像形成装置本体１０で記録紙に画像形成してスタッカユニット７へ排出すると共に、途中のインラインスキャナユニット３０で各記録紙を光学的に読み取ることで差し替え用の正解画像を取得し、該差し替え用の正解画像と、保存部２２に保存されている正解画像群の中の対応するページの正解画像とを差し替える。なお、正解画像群作成機能による印刷を確認プリントと呼び、差し替え機能による印刷を差し替えプリントと呼ぶものとする。
【００３６】
画像形成装置３は、確認プリントの実行後に、ユーザを差し替えプリントに誘導する。ここでは、確認プリントの実行（途中停止または完了）後に、差し替えプリントに誘導する操作画面を表示する。なお、誘導は音声で行ってもよい。
【００３７】
図３は、確認プリントで作成した正解画像群の中の一部（３ページ面）の正解画像を差し替えプリントで差し替えた場合を例示する。この例では印刷ジョブの１部は４ページで構成されている。確認プリントでは、該印刷ジョブの各ページが印刷出力されると共に、これらのページの正解画像からなる正解画像群が生成されて保存される。
【００３８】
ユーザは、確認プリント中に各ページの出力物を目視で確認して正常／異常を判断する。この例では、ユーザは汚れの付いた３ページ目の異常を発見するが、途中停止させずに確認プリントを完了させている。
【００３９】
画像形成装置３は、４ページ分の確認プリントが完了したとき、操作パネル１３に、ユーザを差し替えプリントに誘導する所定の操作画面を表示する。ユーザは、該誘導に従って、異常のある３ページ目を指定して差し替えプリントの実行を指示する。これにより画像形成装置３は、３ページ目の差し替えプリントを実行し、保存されている正解画像群の中の３ページ目の正解画像を、差し替えプリントで取得した正解画像に差し替える。
【００４０】
次に、差し替えプリントにユーザを誘導する操作画面の例を示す。
【００４１】
図４は、ユーザからストップ釦の操作を受ける等によって確認プリントが途中停止した場合に操作パネル１３に表示される第１誘導画面４０の一例を示している。この例では、第１誘導画面４０は、プリント中の各種情報を表示する画面の上にポップアップ表示されている。第１誘導画面４０には、継続釦４１、ページ差し替え釦４２、全ページ再出力釦４３、中止釦４４が表示されている。
【００４２】
画像形成装置３は、第１誘導画面４０で継続釦４１が選択操作されると、停止中の確認プリントを再開する。画像形成装置３は、第１誘導画面４０で全ページ再出力釦４３が選択操作されると、途中停止した確認プリントで既に生成した正解画像を全て破棄して当該印刷ジョブの確認プリントを最初からやり直す。中止釦４４が選択操作されたら、途中停止している確認プリントを中止すると共にこの確認プリントで既に生成した正解画像を全て破棄する。
【００４３】
画像形成装置３は、第１誘導画面４０でページ差し替え釦４２の選択操作を受けた場合は、操作パネル１３に表示する画面を、図５に示す差し替えページ指定画面５０に切り替えて、差し替えページの指定と差し替えプリントの実行指示をユーザから受け付ける。差し替えページ指定画面５０では、既に保存されている正解画像を、ページを指定してプレビューすることができる。また、数字キー等を用いて、差し替えページを個別に指定することができる。指定された差し替えページはページ指定欄５１に表示される。
【００４４】
差し替えページ指定画面５０でＯＫ釦５２の操作を受けると、画像形成装置３は、指定されたページについて差し替えプリントを実行する。
【００４５】
図６は、ユーザからストップ釦の操作を受けることなく最終ページまで確認プリントが完了したときに操作パネル１３に表示される第２誘導画面６０の一例を示している。この例では、第２誘導画面６０は、プリント実行中の画面の上にポップアップ表示される。第２誘導画面６０には、本印刷釦６１、ページ差し替え釦６２、全ページ再出力釦６３、中止釦６４等が表示されている。
【００４６】
画像形成装置３は、第２誘導画面６０で本印刷釦６１が選択操作されると、確認プリントを行った印刷ジョブについて本印刷を開始する。画像形成装置３は、第２誘導画面６０で全ページ再出力釦６３が選択操作されると、完了した確認プリントで既に生成した正解画像を全て破棄して該確認プリントを最初からやり直す。第２誘導画面６０で中止釦６４が選択操作されたら、確認プリントを中止すると共にこの確認プリントで既に生成した正解画像を全て破棄する。
【００４７】
画像形成装置３は、第２誘導画面６０でページ差し替え釦６２の選択操作を受けた場合は、操作パネル１３に表示する画面を、図５に示す差し替えページ指定画面５０に切り替え、差し替えページの指定と差し替えプリントの実行指示を受け付ける。
【００４８】
図７は、画像形成装置３が行う、確認プリント開始後の処理を示す流れ図である。画像形成装置３は、指定された印刷ジョブの確認プリントで次の記録紙に印刷すべきページ（両面印刷の場合は表裏の２ページ）を印刷する共に、該記録紙の搬送中にこの記録紙に印刷されたページをインラインスキャナユニット３０で読み取って正解画像を取得し、これをこの確認プリントに係る正解画像群に追加して保存部２２に保存する（ステップＳ１０１）。画像形成装置３は、確認プリントが途中停止する、もしくは全ページ完了するまで、ステップＳ１０１の処理を繰り返す（ステップＳ１０２；Ｎｏ、ステップＳ１０３；Ｎｏ）。
【００４９】
画像形成装置３は、確認プリントが、ストップ釦の操作等によって途中停止した場合は（ステップＳ１０２；Ｙｅｓ）、図４に示す第１誘導画面４０を操作パネル１３に表示して（ステップＳ１０４）、ユーザを差し替えプリントに誘導する。一方、確認プリントが全ページ完了した場合は（ステップＳ１０３；Ｙｅｓ）、図６に示す第２誘導画面６０を操作パネル１３に表示して（ステップＳ１０５）、ユーザを差し替えプリントに誘導する。
【００５０】
第１誘導画面４０にて、継続釦４１の選択操作を受けた場合は（ステップＳ１０６；Ｙｅｓ）、ステップＳ１０１に戻って、確認プリントを継続する。第２誘導画面６０で本印刷釦６１の選択操作を受けた場合は（ステップＳ１０７；Ｙｅｓ）、該確認プリントに係る印刷ジョブの本印刷を実行して（ステップＳ１０８）、本処理を終了する。
【００５１】
第１誘導画面４０もしくは第２誘導画面６０でページ差し替え釦４２、６２の選択操作を受けた場合は（ステップＳ１０９；Ｙｅｓ）、差し替えページ指定画面５０に移行して差し替えるページの指定を受け付けた後、その指定されたページについて差し替えプリントを実行し、正解画像の差し替えを行って（ステップＳ１１０）、本処理を終了する。
【００５２】
第１誘導画面４０もしくは第２誘導画面６０で全ページ再出力釦４３、６３の選択操作を受けた場合は（ステップＳ１１１；Ｙｅｓ）、当該確認プリントでこれまでに保存した正解画像をすべて破棄し（ステップＳ１１２）、ステップＳ１０１に戻って最初のページから確認プリントをやり直す。
【００５３】
第１誘導画面４０もしくは第２誘導画面６０で中止釦４４、６４の選択操作を受けた場合は（ステップＳ１１１；Ｎｏ）、当該確認プリントでこれまでに保存した正解画像をすべて破棄し（ステップＳ１１３）、本処理を終了する。
【００５４】
なお、差し替えプリントが途中停止や完了した後、再び第１誘導画面４０や第２誘導画面６０を表示するようにしてもよい。画像形成装置３は、差し替えプリントが予め定めた複数回繰り返された場合は、ユーザを画像形成条件の確認もしくは変更に誘導する。たとえば、「差し替えプリントが繰り返されています。画像形成条件に間違いはありませんか？」といったメッセージを含む警告画面を表示したり、画像形成条件を変更するための画面に移行するための操作釦を表示したり、画像形成条件を変更するための画面に自動的に移行したりする。これにより、異常の原因にユーザが早期に気付き、さらなる異常の繰り返しが防止される。なお、ユーザにとって不要で煩わしい誘導になることを回避するために、画像形成条件の変更等へのユーザの誘導は、差し替えプリントが複数回繰り返された際に初めて行うようになっている。
【００５５】
このように、本発明では、確認プリントが途中停止あるいは完了した場合に、ユーザを差し替えプリントに誘導し、正解画像群の中の一部の正解画像を差し替え可能にしたので、一部の正解画像の不良により、全ページの正解画像を作り直す必要がなくなり、少ない追加作業量で全ページ正常な正解画像群を得ることができる。
【００５６】
以上、本発明の実施の形態を図面によって説明してきたが、具体的な構成は実施の形態に示したものに限られるものではなく、本発明の要旨を逸脱しない範囲における変更や追加があっても本発明に含まれる。
【符号の説明】
【００５７】
３…画像形成装置
５…給紙ユニット
７…スタッカユニット
１０…画像形成装置本体
１１…画像形成部
１１ａ…中間転写ベルト
１１ｂ…像形成ユニット
１１ｃ…定着装置
１２…搬送部
１３…操作パネル
２０…制御基板
２１…制御部
２２…保存部
２３…検査部
３０…インラインスキャナユニット
３１…上面側ラインイメージセンサ
３２…下面側ラインイメージセンサ
４０…第１誘導画面
４１…継続釦
４２…ページ差し替え釦
４３…全ページ再出力釦
４４…中止釦
５０…差し替えページ指定画面
５１…ページ指定欄
５２…ＯＫ釦
６０…第２誘導画面
６１…本印刷釦
６２…ページ差し替え釦
６３…全ページ再出力釦
６４…中止釦
Ｄ…２次転写位置
【図１】
2019193978.tif 000003
【図２】
2019193978.tif 000004
【図３】
2019193978.tif 000005
【図４】
2019193978.tif 000006
【図５】
2019193978.tif 000007
【図６】
2019193978.tif 000008
【図７】
2019193978.tif 000009